(57)【要約】符号化合成トランスポートチャネルＣＣＴｒＣＨをサポートする複数の異なる物理チャネルの信号対干渉比（ＳＩＲ）を等化するためのシステムおよび方法は、物理チャネルのＳＩＲを等化するだけでなく、ＣＣＴｒＣＨの平均ＳＩＲを一定に維持するような、新しい送信電力の計算を含む。
2005535177.tif 000002
【特許請求の範囲】
【請求項１】
複数の物理チャネルの信号対干渉比（ＳＩＲ）を等化する方法であって、各物理チャネルが第１の送信電力レベルを有し、前記方法は、
前記複数の物理チャネルの各々について、前記ＳＩＲを決定するステップと、
前記複数の物理チャネルについて、前記ＳＩＲに基づく第１の平均ＳＩＲを決定するステップと、
前記複数の物理チャネルの各々について、新しい送信電力レベルを計算するステップとを含み、前記新しい送信電力レベルの前記計算が、
前記複数の物理チャネルの新しいＳＩＲが、互いに等しくなることを確実にするステップと、
前記複数の物理チャネルについての新しい平均ＳＩＲが、前記第１の平均ＳＩＲと実質的に同じになることを確実にするステップとを含むことを特徴とする方法。
【請求項２】
前記第１の平均は、重み付け線形平均であることを特徴とする請求項１に記載の方法。
【請求項３】
前記第１の平均は、重み付け対数平均であることを特徴とする請求項１に記載の方法。
【請求項４】
複数（ｉ）の物理チャネルの信号対干渉比（ＳＩＲ）を等化する方法であって、各物理チャネルが第１の電力レベルＰｉを有し、前記方法は、
前記複数（ｉ）の物理チャネルについて、第１の平均ＳＩＲを決定するステップを含み、
前記複数（ｉ）の物理チャネルの各々について、
現在の送信電力レベルＰｉを決定するステップと、
現在の干渉レベルＩｉを決定するステップと、
拡散率Ｇｉを決定するステップとを含み、
さらに、前記複数（ｉ）の物理チャネルの各々について、
新しい送信電力レベルＰｉ’を計算するステップを含み、前記新しい送信電力レベルは、１）前記複数の物理チャネルの新しいＳＩＲが互いに等しく、２）前記複数の物理チャネルについての新しい平均ＳＩＲが前記第１の平均ＳＩＲと実質的に同じであるという２つの条件を満たすことを特徴とする方法。
【請求項５】
前記新しい送信電力レベルＰｉを、前記複数（ｉ）の物理チャネルに適用するステップをさらに含むことを特徴とする請求項４に記載の方法。
【請求項６】
前記計算するステップは、物理チャネルの送信電力Ｐｉと干渉レベルＩｉとの比を決定するステップをさらに含むことを特徴とする請求項４に記載の方法。
【請求項７】
前記計算ステップは、前記複数（ｉ）の物理チャネルのすべてについて、前記比を合計し、第１の合計を提供するステップをさらに含むことを特徴とする請求項６に記載の方法。
【請求項８】
前記計算ステップは、前記複数（ｉ）の物理チャネルのすべてについて、拡散率の逆数を合計し、第２の合計を提供するステップをさらに含むことを特徴とする請求項７に記載の方法。
【請求項９】
前記計算ステップは、前記第１の合計を前記第２の合計で除算するステップをさらに含むことを特徴とする請求項８に記載の方法。
【請求項１０】
複数の物理チャネルで通信するための通信ユニットであって、各物理チャネルは、第１の送信電力レベルを有し、前記ユニットは、
前記複数の物理チャネルで複数の信号を送信するための信号プロセッサと、
前記物理チャネルの各々の電力を制御するための回路とを含み、前記回路が、
前記複数の物理チャネルの各々について、信号対干渉比（ＳＩＲ）を決定するステップと、
前記複数の物理チャネルについて、前記ＳＩＲに基づく第１の平均ＳＩＲを決定するステップと、
前記複数の物理チャネルの各々について、新しい送信電力レベルを計算するステップであって、前記新しい送信電力レベルの前記計算が、
前記複数の物理チャネルの新しいＳＩＲが互いに等しくなることを確実にするステップと、
前記複数の物理チャネルについての新しい平均ＳＩＲが前記第１の平均ＳＩＲと実質的に同じであることを確実にするステップとを含むステップとによって、前記複数の物理チャネルの前記ＳＩＲを等化することを特徴とする通信ユニット。
【発明の詳細な説明】
【技術分野】
【０００１】
本発明は、無線タイムスロット通信（ｗｉｒｅｌｅｓｓ，ｔｉｍｅ  ｓｌｏｔｔｅｄ  ｃｏｍｍｕｎｉｃａｔｉｏｎ）システムに関する。より詳細には、本発明は、符号化合成トランスポートチャネル（ｃｏｄｅｄ  ｃｏｍｐｏｓｉｔｅ  ｔｒａｎｓｐｏｒｔ  ｃｈａｎｎｅｌ）をサポートする複数の異なる物理チャネルの信号対干渉比（ｓｉｇｎａｌ−ｔｏ−ｉｎｔｅｒｆｅｒｅｎｃｅ  ｒａｔｉｏ）を、符号化合成トランスポートチャネルの平均信号対干渉比を変えずに、等化する方法に関する。
【背景技術】
【０００２】
第３世代（３Ｇ）セルラ電話通信で使用されるものなど、数多くのタイプの共用無線通信ネットワークが存在する。共用ネットワークを使用する無線通信機器で使用される技法の１つは、通信の送信電力を複数の異なるチャネルに配分する技法を含む。送信電力を効率的に制御することによって、全体的な電力消費を削減し、帯域利用度を高め、符号化合成トランスポートチャネル（ＣＣＴｒＣＨ）をサポートする複数の異なる物理チャネルの信号対干渉比（ＳＩＲ）を適切な値に維持することが可能になる。
【０００３】
現在のいくつかの無線システムにおいては、ユーザが送信または受信する必要のある異なるタイプのデータを符号化し、１つまたは複数のＣＣＴｒＣＨに多重化することができる。多重化は、それら異なるタイプのデータについてのトランスポートブロック受信の誤り率に関するサービス品質（ＱｏＳ）が、ＣＣＴｒＣＨの受信シンボルのＳＩＲの同じ値について満たされるような方法で実行される。こうすることで、無線資源の最適利用が可能になる。これらのシステムは、映像またはインターネットのダウンロードなどの高データ速度から、音声などの低データ速度まで、広範なサービスを送信することができる。
【０００４】
図１を参照すると、複数の様々なユーザサービスが、個々のデータストリームとして図式化して示されている。これらの個々のデータストリームは、トランスポートチャネルＡ、Ｂ、Ｃに割り当てられ、チャネル毎に符号化された後、多重化される。各トランスポートチャネルＡ、Ｂ、Ｃには、特定の符号化レート、および特定の送信時間間隔（ＴＴＩ：ｔｒａｎｓｍｉｓｓｉｏｎ  ｔｉｍｅ  ｉｎｔｅｒｖａｌ）が割り当てられる。各トランスポートチャネルの符号化レートは、物理レイヤの送信ビット数を決定し、ＴＴＩは、送信されるデータブロックの送出周期（ｄｅｌｉｖｅｒｙ  ｐｅｒｉｏｄ）を定義する。例えば、ＴＴＩを、１０、２０、４０、または８０ｍｓとすることができる。様々なトランスポートチャネルからの符号化ビットは、多重化およびインタリーブを施されて、ＣＣＴｒＣＨを形成する。ＣＣＴｒＣＨのビットは、組み合わされてシンボルを形成し、シンボルは、（拡散が施された後で）タイムスロットおよび拡散符号に関して定義される１つまたは複数の物理チャネルを介して送信される。
【０００５】
物理チャネルでの送信は、トランスポートチャネルがＣＣＴｒＣＨに多重化された後に行われる。物理チャネルによって伝送されるシンボルの数（Ｎｓ）は、物理チャネルの符号の拡散率（ｓｐｒｅａｄｉｎｇ  ｆａｃｔｏｒ）に反比例する。言い換えると、Ｎｓ＝Ｎｃ／Ｇと表され、Ｎｃはタイムスロット内でシンボルを拡散するチップの数、Ｇは拡散率である。通常、チップ数Ｎｃは、ＣＣＴｒＣＨをサポートするすべての物理チャネルで同じである。
【０００６】
図２を参照すると、送信機側で、各物理チャネルが、ある電力レベルＰｉ（インデックスｉは各物理チャネルに対応）で送信される。受信機側で、物理チャネルからの信号は、Ｌを経路損失（ｐａｔｈ  ｌｏｓｓ）として、電力レベルＲｉ＝Ｐｉ／Ｌを有する。逆拡散後、受信シンボルの電力は、Ｇｉを物理チャネルの拡散率として、Ｇｉ×Ｐｉ／Ｌとなる。したがって、物理チャネルによって占有されるスロットでの干渉レベルがＩｉである場合、この物理チャネルのシンボルレベルでのＳＩＲは、式（１）で与えられる。
【０００７】
【数１】
2005535177.tif 000003
【０００８】
トランスポートブロック受信の誤り率に関するＣＣＴｒＣＨの受信品質は、受信シンボルのＳＩＲの関数となる。ＳＩＲがすべての受信シンボルで同じ値ならば、この値は、接続品質の直接的な指標となる。しかし、ＳＩＲは一般に、受信シンボル毎に異なる値となる。接続品質の近似的な指標は、各受信シンボルのＳＩＲ値を平均することによって取得することができる。要するに、各シンボルのＳＩＲが等しくなく、それらの平均が
【０００９】
【数２】
2005535177.tif 000004
【００１０】
である場合の接続品質は、シンボルのＳＩＲがすべて
【００１１】
【数３】
2005535177.tif 000005
【００１２】
に等しい場合の接続品質と近似的に同じとする。
【００１３】
平均値計算は、線形的なものとすることも、または対数的なもの（すなわち、ｄＢで表したＳＩＲ値を平均する）とすることもできる。対数平均（ｌｏｇａｒｉｔｈｍｉｃ  ａｖｅｒａｇｅ）は線形平均（ｌｉｎｅａｒ  ａｖｅｒａｇｅ）より必ず小さくなるので、接続品質のより控えめな指標であると考えられる。この計算を使用して、ＣＣＴｒＣＨの各物理チャネルの異なる電力レベルの関数として、線形平均または対数平均を求めることができる。
【００１４】
線形平均を使用する場合、ＣＣＴｒＣＨの平均ＳＩＲ
【００１５】
【数４】
2005535177.tif 000006
【００１６】
は、次式で計算される。
【００１７】
【数５】
2005535177.tif 000007
【００１８】
ＣＣＴｒＣＨのすべてのシンボルにわたる平均を計算するため、物理チャネル毎にＳＩＲと伝送するシンボル数を乗算する。物理チャネルｉのシンボル数は、Ｎｃ／Ｇｉに等しく、さらにＳＩＲｉに式（１）を代入すると、式（２）は、式（３）に変形される。
【００１９】
【数６】
2005535177.tif 000008
【００２０】
式（３）は、すべての物理チャネルの送信電力レベル（Ｐｉ）、干渉レベル（Ｉｉ）、および拡散率（Ｇｉ）、ならびに経路損失（Ｌ）の関数として、ＣＣＴｒＣＨの線形平均ＳＩＲ
【００２１】
【数７】
2005535177.tif 000009
【００２２】
を表現したものである。
【００２３】
ＣＣＴｒＣＨの対数平均
【００２４】
【数８】
2005535177.tif 000010
【００２５】
は、同様の考え方に従って、以下の式で定義される。
【００２６】
【数９】
2005535177.tif 000011
【００２７】
式（４）は、すべての物理チャネルの送信電力レベル（Ｐｉ）、干渉レベル（Ｉｉ）、および拡散率（Ｇｉ）、ならびに経路損失（Ｌ）の関数として、ＣＣＴｒＣＨの対数平均ＳＩＲを表現したものである。
【００２８】
最新の無線システムにおいては、ダウンリンク電力制御は、閉ループ制御による。これは、基地局が、アップリンク送信時（例えば、アップリンクＣＣＴｒＣＨ）に移動体ユニットによって送信されるアップ／ダウン送信電力制御（ＴＰＣ：ｔｒａｎｓｍｉｔ  ｐｏｗｅｒ  ｃｏｎｔｒｏｌ）コマンドに基づいて、フレーム毎に送信電力を制御しなければならないことを意味する。移動体ユニットは、経験したＳＩＲを一定のＳＩＲ目標と比較することによってＴＰＣコマンドを決定する。移動体ユニットのダウンリンクＣＣＴｒＣＨは、２以上のスロットを占有する物理チャネルを有することができるが、フレーム当たり複数のＴＰＣコマンドを可能にするのは、複数アップリンクＣＣＴｒＣＨの場合だけである。しかし、多くの場合、移動体ユニット用には、単一アップリンクＣＣＴｒＣＨがあるだけである。こうした状況では、移動体ユニットは、基地局によって送信される２以上のスロットでの電力を制御するのに、フレーム当たり１つのＴＰＣコマンドしか送信することができない。
【００２９】
各ダウンリンクスロットの干渉信号符号電力（ＩＳＣＰ：ｉｎｔｅｒｆｅｒｅｎｃｅ  ｓｉｇｎａｌ  ｃｏｄｅ  ｐｏｗｅｒ）は、時間に連れて変動するので、ダウンリンクＣＣＴｒＣＨは、悪影響を受けることがある。例えば、物理チャネルが２つのスロット上に存在し、ある時間間隔において、第１のスロットのＩＳＣＰは５ｄＢ増加し、第２のスロットのＩＳＣＰは３ｄＢ減少したとする。これら２つのスロットの送信電力を制御するのに単一ＴＰＣコマンドを使用していたのでは、移動体ユニットが基地局に、一方のスロットで電力が増加し、他方のスロットで電力が減少したことを通知するのは不可能である。結果として、物理チャネルがどのスロットを占有しているかに関係なく、基地局は同じＴＰＣコマンドをすべての物理チャネルに適用しなければならないので、基地局が移動体ユニットによって送信されたＴＰＣコマンドに厳格に従うならば、異なるスロットを占有するダウンリンク物理チャネルのＳＩＲは、乖離したものになるであろう。
【００３０】
無線資源の最適利用にとって、異なる物理チャネルのＳＩＲを、シンボルレベルで可能な限り等しくすることが望ましい。これを実現するには、異なるタイムスロットにおける干渉条件は時間に連れて変化するので、異なるスロット内の物理チャネルのＳＩＲが可能な限り等しくなるように、システムは、各タイムスロットにおいて異なる物理チャネルに割り当てる送信電力をときどき再調整する必要がある。このプロセスは、ＳＩＲ等化として知られており、図３に示すプロセスによって達成される。
【００３１】
図３に、ＳＩＲ等化を実行するため、制御無線ネットワーク制御装置（ＣＲＮＣ：Ｃｏｎｔｒｏｌｌｉｎｇ  Ｒａｄｉｏ  Ｎｅｔｗｏｒｋ  Ｃｏｎｔｒｏｌｌｅｒ）、基地局、および移動体ユニットによって実施されるプロセスを示す。このプロセスによって、基地局は、タイムスロット毎にダウンリンク送信電力を決定するときに、ダウンリンクタイムスロットＩＳＣＰ値を使用することができる。移動体ユニットは、信号を受信しているタイムスロット毎に、ダウンリンク（ＤＬ）ＩＳＣＰを定期的に測定し、ＩＳＣＰ測定値をＣＲＮＣに送信する。ＣＲＮＣは、ＤＬ電力タイムスロット制御要求（ＤＬ  ＰＯＷＥＲ  ＴＩＭＥＳＬＯＴ  ＣＯＮＴＲＯＬ  ＲＥＱＵＥＳＴ）メッセージを、当該ＣＣＴｒＣＨの物理チャネルによって占有される各スロットでの干渉レベルであるＤＬ  ＩＳＣＰ値とともに基地局に送信する。基地局は、これを受信すると、ＣＲＮＣによって送信された指示ＤＬタイムスロットＩＳＣＰ値を使用して、タイムスロット毎にダウンリンク送信電力を設定する。基地局は、干渉が小さい無線リンクのダウンリンクタイムスロットでは、ダウンリンク送信電力を下げ、干渉が大きいタイムスロットでは、ダウンリンク送信電力を上げ、無線リンクにおける全体的なダウンリンク電力を変化させずに維持する。
【００３２】
図４には、ＳＩＲ等化を実行するために基地局によって行われる手順３０が、詳しく示されている。手順３０は、ＩＳＣＰ値を含むダウンリンク電力タイムスロット制御要求メッセージをＣＲＮＣから受信することによって開始する（ステップ３２）。基地局は、各物理チャネルによって占有されるタイムスロットに応じて、異なる物理チャネルに干渉レベルＩｉ（インデックスｉは各物理チャネルに対応）を関連づける（ステップ３４）。干渉レベルＩは、同じタイムスロットを占有するすべての物理チャネルで同じである（すなわち、物理チャネルｉとｊが同じタイムスロット内にあるならば、Ｉｉ＝Ｉｊ）。基地局は、移動体ユニットへの信号の送信を担当するので、各物理チャネルの最新の送信電力Ｐｉおよび拡散率Ｇｉについて常に知っている。
【００３３】
基地局は、これらの値の組（Ｉ１，Ｉ２，．．．，ＩＮ，Ｐ１，Ｐ２，．．．，ＰＮ，Ｇ１，Ｇ２，．．．，ＧＮ）（ＮはＣＣＴｒＣＨをサポートする物理チャネル数）を使用して、物理チャネルの送信電力レベルに関する新しい値の組（Ｐ１’，Ｐ２’，．．．，ＰＮ’）を計算する（ステップ３６）。等化の目標は、すべての物理チャネルのＳＩＲを等しくすることである。したがって、
【００３４】
【数１０】
2005535177.tif 000012
【００３５】
式（５）において、ＳＩＲｉ’は、等化後の物理チャネルｉのＳＩＲを表し、Ｋは、等化後のＳＩＲの値であり、この値は、すべての物理チャネルで同じでなければならない。従来技術による一システムでは、この値Ｋは、次式で計算される。
【００３６】
【数１１】
2005535177.tif 000013
【００３７】
式（５）に式（６）を代入すると、新しい送信電力値の組（Ｐ１’，Ｐ２’，．．．，ＰＮ’）は、次式を用いることによって計算される。
【００３８】
【数１２】
2005535177.tif 000014
【００３９】
式（７）の適用後直ちに、物理チャネルのＳＩＲはすべて等しくなる。さらに、送信電力の和が、等化の前後で等しい
【００４０】
【数１３】
2005535177.tif 000015
【００４１】
ことも確かめることができる。これらの新しい電力値（Ｐ１’，Ｐ２’，．．．，ＰＮ’）が、各物理チャネルに適用される（ステップ３８）。
【発明の開示】
【発明が解決しようとする課題】
【００４２】
図４に示され、式（７）で表されるプロセスは、異なる物理チャネルのＳＩＲを等化しはするが、大きな問題点を抱えている。すべての物理チャネルに関する全体的な電力は、ＳＩＲ等化の前後で同じであるが、新しい送信電力の組Ｐｉ’を適用した後の物理チャネルのＳＩＲが、式（３）（線形平均）または式（４）（対数平均）で定義されるような、等化前のすべての物理チャネルに関する平均ＳＩＲと著しく異なることがあり得る。その結果、受信品質が、突然、ひどく悪化し、最終的に電力制御が平均ＳＩＲを元のレベルに回復させるまで、それが続くことがある。
【００４３】
したがって、既存の等化プロセスでは、平均ＳＩＲを一定に維持できない場合が存在する。例えば、ＣＣＴｒＣＨは、拡散率の等しい（例えば、Ｇ１＝Ｇ２＝１６）２つの物理チャネルによってサポートすることができる。等化前の物理チャネルの送信電力レベルは、Ｐ１＝Ｐ２＝１ｍＷとする。対応する干渉レベルは、Ｉ１＝１×１０−９ｍＷ、Ｉ２＝８×１０−９ｍＷとする。経路損失は、Ｌ＝１×１０９とする。したがって、ＳＩＲ等化前、物理チャネルのＳＩＲは、ＳＩＲ１＝１６、ＳＩＲ２＝２である。平均ＳＩＲ（線形）は、式（３）により
【００４４】
【数１４】
2005535177.tif 000016
【００４５】
である。平均ＳＩＲ（対数）は、
【００４６】
【数１５】
2005535177.tif 000017
【００４７】
である。式（７）から、新しい送信電力レベルは、Ｐ１’＝０．２２ｍＷ、Ｐ２’＝１．７８ｍＷであり、２つの物理チャネルのＳＩＲ（および線形平均ＳＩＲ、または対数平均ＳＩＲ）は、
【００４８】
【数１６】
2005535177.tif 000018
【００４９】
に等しい。明らかに、この値は、ＳＩＲ等化手順前の線形平均ＳＩＲまたは対数平均ＳＩＲのどちらよりも小さい。線形または対数のどちらであっても、当該ＣＣＴｒＣＨのＱｏＳがぎりぎり満たされるレベルに平均ＳＩＲがあった場合、この低下の結果、品質は悪化し、電力制御が平均ＳＩＲを元のレベルに回復させるまでそれが続く。このような挙動は望ましくない。
【課題を解決するための手段】
【００５０】
本発明によれば、ＣＣＴｒＣＨの各物理チャネルのＳＩＲが等化される。物理チャネルのＳＩＲが等化されるだけでなく、ＣＣＴｒＣＨの平均ＳＩＲが一定値を維持するように、新しい送信電力レベルが、複数の物理チャネルについて計算される。本発明によれば、ＣＣＴｒＣＨの全体的な送信電力は、従来技術による構成に見られるように、必ずしも一定値を維持する必要はない。
【００５１】
本発明の一実施形態によれば、線形平均ＳＩＲは、ＳＩＲ等化後も一定値を維持する。別の実施形態によれば、対数平均ＳＩＲは、ＳＩＲ等化後も一定値を維持する。
【発明を実施するための最良の形態】
【００５２】
本発明を図面を参照しながら説明するが、すべての図面にわたって、同じ番号は同じ要素を表す。
【００５３】
図５に示す本発明による手順４０を参照すると、基地局は、ＤＬ電力タイムスロット制御要求メッセージを、ＳＩＲが等化されるＣＣＴｒＣＨをサポートする物理チャネルによって使用されるすべてのタイムスロットでの干渉レベルとともに、ＣＲＮＣから受信する（ステップ４１）。したがって、基地局は、ＣＣＴｒＣＨをサポートするすべての物理チャネルに関連づけられた干渉レベル（Ｉ１，Ｉ２，．．．，ＩＮ）（Ｎは物理チャネル数）を知っている。さらに、基地局は、すべての物理チャネルの最近の送信電力レベル（Ｐ１，Ｐ２，．．．，ＰＮ）を、拡散率（Ｇ１，Ｇ２，．．．，ＧＮ）とともに知っている（ステップ４２）。当業者であれば理解されるように、送信電力レベルを管理するエンティティ（すなわち、図６に示す電力制御マネージャ（ｐｏｗｅｒ  ｃｏｎｔｒｏｌ  ｍａｎａｇｅｒ）７０）は、基地局に配置される。接続の確立時に基地局は拡散率についての情報をＣＲＮＣから受信するので、拡散率も基地局に知られている。
【００５４】
基地局は、すべての物理チャネルの干渉レベル（Ｉ１，Ｉ２，．．．，ＩＮ）、最近の送信電力レベル（Ｐ１，Ｐ２，．．．，ＰＮ）、および拡散率（Ｇ１，Ｇ２，．．．，ＧＮ）を使用して、平均ＳＩＲと経路損失の積で表される関数（ｆ）を実施する（ステップ４３）。関数（ｆ）は、各物理チャネルのシンボル重み付けＳＩＲの線形平均に基づくものでも、または対数平均にも基づくものでもよい。
【００５５】
式（３）でのように、平均ＳＩＲの線形定義が使用される場合、関数（ｆ）は、次式で計算される。
【００５６】
【数１７】
2005535177.tif 000019
【００５７】
要点を説明すると、まず、各物理チャネルについて、物理チャネルの送信電力レベルＰｉと干渉レベルＩｉの比を計算する。次に、それらの比をすべての物理チャネルについて合計し、この合計を、すべての物理チャネルの拡散率の逆数を合計した値で除算する。
【００５８】
式（４）でのように、平均ＳＩＲの対数定義が使用される場合、関数（ｆ）は、次式で計算される。
【００５９】
【数１８】
2005535177.tif 000020
【００６０】
ＵＴＲＡの時分割双方向伝送方式（ＴＤＤ）（３．８４Ｍｃｐｓ）モードなどの、拡散率がすべて等しい特別な場合（Ｇ１＝Ｇ２＝．．．ＧＮ＝Ｇ）には、式（９）は、Ｇをすべての物理チャネル用の拡散率として、
【００６１】
【数１９】
2005535177.tif 000021
【００６２】
のように簡略化されることに留意されたい。
【００６３】
要点を説明すると、まず、各物理チャネルについて、物理チャネルの送信電力レベルＰｉと干渉レベルＩｉの比を計算する。次に、それらの比をすべての物理チャネルについて積算し、さらに、その積算値のＮ乗根（Ｎは物理チャネル数）（例えば、Ｎ＝２ならば平方根、Ｎ＝３ならば立方根など）を計算して、その結果に拡散率Ｇを乗算する。代替として、各比のＮ乗根を計算してから、それらを積算することもできる。同じ結果を導く関数であればどのようなタイプのものでも、本発明の範囲に含まれることは、当業者であれば理解されよう。
【００６４】
関数（ｆ）を計算した後、基地局は、次式を使用して、各物理チャネルに割り当てる新しい送信電力レベル（Ｐ１’，Ｐ２’，．．．，ＰＮ’）を計算する（ステップ４４）。
【００６５】
【数２０】
2005535177.tif 000022
【００６６】
最後に、基地局は、新しい送信電力レベル（Ｐ１’，Ｐ２’，．．．，ＰＮ’）を、ＣＣＴｒＣＨの各物理チャネルに割り当てる（ステップ４５）。
【００６７】
先に説明したように、本発明は、以下の２つの目標、すなわち、１）すべての物理チャネルのシンボルレベルＳＩＲが互いに等しくなり、２）ＣＣＴｒＣＨの平均ＳＩＲ（線形または対数）は線形等化前と同じになるという目標を達成する。
【００６８】
等化後はどの物理チャネルのシンボルレベルＳＩＲもすべて
【００６９】
【数２１】
2005535177.tif 000023
【００７０】
に等しいので、式（１１）が上記の２つの条件を満たすことは明らかであろう。
【００７１】
当業者であれば理解されるように、ＣＣＴｒＣＨの平均ＳＩＲに関して、上記の説明で明示的に定義された２つ（線形および対数）とは異なる別の定義も可能である。
【００７２】
別の定義に従って平均ＳＩＲを一定に維持しながら、物理チャネルのＳＩＲを等化するための代替方法は、関数（ｆ）が経路損失と平均ＳＩＲの選択された定義の積になるように変更される点を除いて、上記の説明と同じである。
【００７３】
本発明による方法を使用して新しい送信電力を適用しても、ＣＣＴｒＣＨの平均ＳＩＲに変化はなく、当該ＣＣＴｒＣＨのサービス品質にとっては有益である。さらに、移動体ユニットは、ＳＩＲ等化の際に何か特別なことをする必要はなく、ＳＩＲ等化が行われた後、すべての物理チャネルにわたって等しいＳＩＲを経験するだけである。
【００７４】
図６は、本発明によって構成される基地局である。基地局６０は、（コアネットワークから到来する）ユーザデータ６４と、ＳＩＲ等化プロセスで使用されるＤＬ電力タイムスロット制御要求メッセージなどの通知メッセージを、ＣＲＮＣ６２から受信する。無線ネットワークインターフェース６８は、ＣＲＮＣ６２からの通知メッセージの復号化および解釈を担当する。したがって、無線ネットワークインターフェースは、ユーザデータ６４上で引き受けられる、物理レイヤ処理ユニット（ｐｈｙｓｉｃａｌ  ｌａｙｅｒ  ｐｒｏｃｅｓｓｉｎｇ  ｕｎｉｔ）７２で実施される様々なパラメータを制御する。
【００７５】
電力制御マネージャ７０は、適切な送信電力レベルを物理チャネル電力ユニット（ｐｈｙｓｉｃａｌ  ｃｈａｎｎｅｌ  ｐｏｗｅｒ  ｕｎｉｔ）７４に提供し、物理チャネル電力ユニットでは、各物理チャネルからの信号に、それぞれの電力レベルに基づいた重み付けを行い、その後、これらの物理チャネルは、変調器７６で変調され、アンテナ７８を介して送信される。
【００７６】
ＳＩＲ等化が実行されるときは、ＤＬ電力タイムスロット制御要求メッセージが、無線ネットワークインターフェース６８によって受信され、無線ネットワークインターフェースは、当該ＣＣＴｒＣＨによって使用されるすべてのスロットでの干渉レベルを、電力制御マネージャ７０に転送する。次に、電力制御マネージャ７０は、本発明に関して上で説明したように、当該ＣＣＴｒＣＨの物理チャネルに適用される新しい送信電力レベルを計算する。物理レイヤ処理ユニット７２は、ユーザデータ６４を処理し、物理チャネルを物理チャネル電力ユニット７４に転送する。電力レベルは、各物理チャネルの電力を適切に設定するため、物理チャネル電力ユニット７４で使用される。その後、チャネルは、変調器７６で変調され、アンテナ７８を介して送信される。
【００７７】
本発明を、３Ｇシステムによる音声およびデータとともに使用される本発明の適用例に関して説明した。しかし、３Ｇシステムは、例として使用したに過ぎず、本発明は、同じＴＰＣコマンドによって電力制御してもしなくてもよく、また干渉が異なることができる複数のチャネルを介してデータを送信できる、その他の無線通信システムにも適用することができる。
【００７８】
本発明を好ましい実施形態に関して説明してきたが、添付の特許請求の範囲において確定される本発明の範囲に包含されるその他の変形形態についても、当業者には明らかであろう。
【図面の簡単な説明】
【００７９】
【図１】複数の物理チャネルを介して送信されるＣＣＴｒＣＨに合成される、従来技術による別個のデータストリームのブロック図である。
【図２】エアインターフェースを介して送信される、従来技術による物理チャネルの図である。
【図３】ＳＩＲ等化のための、ＣＲＮＣ、基地局、および移動体ユニットの間での、従来技術による信号伝達手順のフローチャートである。
【図４】基地局で実行される、従来技術によるＳＩＲ等化手順のフローチャートである。
【図５】本発明によるＳＩＲ等化手順のフローチャートである。
【図６】本発明によって構成される基地局のブロック図である。
【図１】
2005535177.tif 000024
【図２】
2005535177.tif 000025
【図３】
2005535177.tif 000026
【図４】
2005535177.tif 000027
【図５】
2005535177.tif 000028
【図６】
2005535177.tif 000029
【国際調査報告】
2005535177.tif 000030